(57)【要約】      （修正有）【課題】位置決め精度が高く、嵌合安定性に優れ、組み立てやすいレンズモジュールを提供する。【解決手段】鏡筒１０と、鏡筒１０内に収容されるレンズ群２０とを備え、レンズ群２０は、少なくとも２つのレンズ２を備え、その２つのレンズ２は、順次に積層して設けられ、各レンズ２は、結像領域としての本体部３と本体部３から外側へ延伸する周辺部４とを備え、隣接する２つのレンズ２の周辺部３の隣接する側には、それぞれ、位置決めボス５と位置決めボス５に嵌合される位置決め溝６が設けられており、位置決めボス５は、光軸方向に垂直な断面において扇形構成であり、位置決めボス５は、位置決め溝６内に係止される。【選択図】図１
2018072799.tif 000002
【特許請求の範囲】
【請求項１】
鏡筒と、順次に積層して設けられる少なくとも２つのレンズを有し、前記鏡筒内に収容されているレンズ群とを備えるレンズモジュールであって、各前記レンズは、結像領域としての本体部と、前記本体部から外側へ延伸する周辺部とを備え、隣接する２つの前記レンズの前記周辺部の隣接する側には、それぞれ、位置決めボスと前記位置決めボスに嵌合される位置決め溝が設けられており、前記位置決めボスは、光軸方向に垂直な断面において扇形構成であり、前記位置決めボスは、前記位置決め溝内に係止されることを特徴とするレンズモジュール。
【請求項２】
前記位置決めボスは、扇形構成の頂面と、前記頂面に対向して設けられる扇形構成の底面と、前記頂面と前記底面を接続する側壁とを備え、前記側壁の内側と外側は、前記周辺部の径方向に沿う同心円のセグメントであり、前記頂面は、対応する前記周辺部と固定接続されており、前記底面は、前記位置決め溝に当接するために用いられ、前記側壁の内側面は、前記頂面と直交しており、前記側壁の外側面は、前記頂面とは０〜９０°の夾角を成すことを特徴とする請求項１に記載のレンズモジュール。
【請求項３】
前記位置決めボスは、扇形構成の頂面と、前記頂面に対向して設けられる扇形構成の底面と、前記頂面と前記底面を接続する側壁とを備え、前記側壁の内側と外側は、前記周辺部の径方向に沿う同心円のセグメントであり、前記頂面は、対応する前記周辺部と固定接続されており、前記底面は、前記位置決め溝に当接するために用いられ、前記側壁の外側面は、前記頂面に直交しており、前記側壁の内側面は、前記頂面とは０〜９０°の夾角を成すことを特徴とする請求項１に記載のレンズモジュール。
【請求項４】
前記レンズ群は、少なくとも、第１のレンズと、及び前記第１のレンズと積層して設けられる第２のレンズとを備え、前記第１のレンズは、結像領域としての第１の本体部と、前記第１の本体部から外側へ延伸する第１の周辺部と、前記第１の周辺部における前記第２のレンズに近い側から前記第２のレンズに向かう方向へ延伸する第１の位置決めボスとを備え、前記第２のレンズは、結像領域としての第２の本体部と、前記第２の本体部から外側へ延伸する第２の周辺部と、前記第２の周辺部における前記第１のレンズに近い側より前記第１のレンズから離れる方向へ凹む第１の位置決め溝とを備え、前記第１の位置決め溝には、前記第１の位置決めボスが嵌合して係止されることを特徴とする請求項１〜３のいずれか一項に記載のレンズモジュール。
【請求項５】
前記第１の位置決めボスは、少なくとも２つが設けられ、且つ、互いに間隔を空けて設けられていることを特徴とする請求項４に記載のレンズモジュール。
【請求項６】
前記第１の位置決めボスは、等間隔で設けられていることを特徴とする請求項５に記載のレンズモジュール。
【請求項７】
前記第１の位置決めボスは、２つが設けられ、且つ前記第１の本体部に対して対称に設けられることを特徴とする請求項６に記載のレンズモジュール。
【請求項８】
前記第１の位置決め溝は、一体的な環状溝型の構成であることを特徴とする請求項７に記載のレンズモジュール。
【請求項９】
前記夾角の大きさは、０°、３０°又は６０°であることを特徴とする請求項８に記載のレンズモジュール。
【発明の詳細な説明】
【技術分野】
【０００１】
本発明は、光学結像分野に関し、特に撮影・撮像製品の分野に適用されるレンズモジュールに関する。
【背景技術】
【０００２】
科学技術の絶えない発展に伴って、電子機器は、スマート化へ発展しつつあり、デジタルカメラの他、例えばタブレットコンピュータ、携帯電話などの携帯型電子機器にも、ユーザの随時撮影の要求を満たすために、撮影・撮像機能を有するレンズモジュールが配置されている。
【０００３】
関連技術のレンズモジュールは、鏡筒と、前記鏡筒内に設けられる複数のレンズと、隣接する２つのレンズの間に挟まれた遮光シート又は遮光板と、ボトム層レンズと前記鏡筒との間に設けられた押圧リングとを備え、前記押圧リングが接着剤の塗布により前記鏡筒に固定されることで、前記レンズが固定される。
【０００４】
しかしながら、関連技術において、前記レンズモジュールにおけるレンズ群は、順次に積層して設けられる複数のレンズであり、隣接する２つの前記レンズの間は、レンズ外円嵌合又は全体円周接合により位置決め組立てになっている。この手段では、嵌合面積が大きく、位置決め正確性が高くなく、且つ安定性が足りない。
【０００５】
そのため、上記の課題を解決するために、新なレンズモジュールを提供する必要がある。
【発明の概要】
【発明が解決しようとする課題】
【０００６】
本発明が解決しようとする技術的課題は、位置決め精度が高く、嵌合安定性に優れ、組み立てやすいレンズモジュールを提供することである。
【課題を解決するための手段】
【０００７】
上記の技術課題を解決するために、本発明は、鏡筒と、前記鏡筒内に収容されるレンズ群とを備え、前記レンズ群は、少なくとも２つのレンズを備え、その２つのレンズは、順次に積層して設けられ、各前記レンズは、結像領域としての本体部と前記本体部から外側へ延伸する周辺部とを備え、隣接する２つの前記レンズの前記周辺部の隣接する側には、それぞれ、位置決めボスと前記位置決めボスに嵌合される位置決め溝が設けられており、前記位置決めボスは、光軸方向に垂直な断面において扇形構成であり、前記位置決めボスは、前記位置決め溝内に係止されるレンズモジュールを提供している。
【０００８】
好ましくは、前記位置決めボスは、扇形構成の頂面と、前記頂面に対向して設けられる扇形構成の底面と、前記頂面と前記底面を接続する側壁とを備え、前記側壁の内側と外側は、前記周辺部の径方向に沿う同心円のセグメントであり、前記頂面は、対応する前記周辺部と固定接続されており、前記底面は、前記位置決め溝に当接するために用いられ、前記側壁の内側面は、前記頂面と直交しており、前記側壁の外側面は、前記頂面とは０〜９０°の夾角を成す。
【０００９】
好ましくは、前記位置決めボスは、扇形構成の頂面と、前記頂面に対向して設けられる扇形構成の底面と、前記頂面と前記底面を接続する側壁とを備え、前記側壁の内側と外側は、前記周辺部の径方向に沿う同心円のセグメントであり、前記頂面は、対応する前記周辺部と固定接続されており、前記底面は、前記位置決め溝に当接するために用いられ、前記側壁の外側面は、前記頂面に直交しており、前記側壁の内側面は、前記頂面とは０〜９０°の夾角を成す。
【００１０】
好ましくは、前記レンズ群は、少なくとも、第１のレンズと、前記第１のレンズと積層して設けられる第２のレンズとを備え、前記第１のレンズは、結像領域としての第１の本体部と、前記第１の本体部から外側へ延伸する第１の周辺部と、前記第１の周辺部における前記第２のレンズに近い側から前記第２のレンズに向かう方向に延伸する第１の位置決めボスとを備え、前記第２のレンズは、結像領域としての第２の本体部と、前記第２の本体部から外側へ延伸する第２の周辺部と、前記第２の周辺部における前記第１のレンズに近い側より前記第１のレンズから離れる方向へ凹む第１の位置決め溝とを備え、前記第１の位置決め溝には、前記第１の位置決めボスが嵌合して係止される。
【００１１】
好ましくは、前記第１の位置決めボスは、少なくとも２つが設けられ、且つ、互いに間隔を空けて設けられている。
【００１２】
好ましくは、前記第１の位置決めボスは、等間隔で設けられている。
【００１３】
好ましくは、前記第１の位置決めボスは、２つが設けられ、且つ前記第１の本体部に対して対称に設けられる。
【００１４】
好ましくは、前記第１の位置決め溝は、一体的な環状溝型の構成である。
【００１５】
好ましくは、前記夾角の大きさは、０°又は３０°又は６０°である。
【図面の簡単な説明】
【００１６】
【図１】本発明に係るレンズモジュールの一部の構成を示す模式図である。
【図２】本発明に係るレンズモジュールの隣接する２つのレンズが嵌合される構成の分解斜視模式図である。
【図３】図２における隣接する２つのレンズの変形の嵌合構成の一部の構成を示す模式図である。
【図４】図３における隣接する２つのレンズが嵌合される構成の分解斜視模式図である。
【図５】図３の他の組立て構成を示す模式図である。
【図６】図５における隣接する２つのレンズが嵌合される構成の分解斜視模式図である。
【発明を実施するための形態】
【００１７】
以下、図面と実施形態を参照しながら、本発明を更に説明する。
【００１８】
図１〜２に示すように、本発明は、鏡筒１０と、前記鏡筒１０内に収容されるレンズ群２０とを備えるレンズモジュール１００を提供している。前記レンズ群２０は、少なくとも２つのレンズ２を備え、その２つのレンズは、順次に積層して設けられる。勿論、前記レンズ２は、必要に応じてより多く設けられてもよい。
【００１９】
各前記レンズ２は、結像領域としての本体部３と、前記本体部３から外側へ延伸する周辺部４とを備える。隣接する２つの前記レンズ２の前記周辺部４の隣接する側に、それぞれ、位置決めボス５と前記位置決めボス５に嵌合して設けられる位置決め溝６が配置されており、前記位置決めボス５は、前記位置決め溝６内に嵌合して係止される。前記位置決めボス５と前記周辺部４は、一体的に成形される構成である。
【００２０】
前記本体部３は、球面構成又は非球面構成などのアーチ形状の構成になる。
【００２１】
前記周辺部４は、頂面４１と前記頂面４１に対向して設けられる底面４２とを備える。なお、前記頂面４１と前記底面４２は、それぞれ前記レンズ２の物側面と像側面であるとされてもよい。
【００２２】
本実施形態において、以下、隣接する２つの前記レンズ２を例示として具体的に説明する。勿論、前記レンズ２の数は、これに限定されておらず、原理は同じである。
【００２３】
前記レンズ群２０は、少なくとも、第１のレンズ２１と、前記第１のレンズ２１と積層して設けられる第２のレンズ２２とを備える。
【００２４】
前記第１のレンズ２１は、結像領域としての第１の本体部２１１と、前記第１の本体部２１１から外側へ延伸する第１の周辺部２１２と、前記第１の周辺部２１２における前記第２のレンズ２２に近い側から前記第２のレンズ２２に向かう方向に延伸する第１の位置決めボス２１３を備える。本実施形態において、前記第１の位置決めボス２１３と前記第１の周辺部２１２は一体的に成形される。
【００２５】
前記第１の位置決めボス２１３は、２つ以上に設けられてもよく、且つ互いに間隔を空けて設けられて、組立て時の正確な位置決めをよりよく実現する。より好ましくは、前記第１の位置決めボス２１３は、等間隔で設けられている。本実施形態において、具体的には、前記第１の位置決めボス２１３は、２つが設けられ、且つ前記第１の本体部２１１に対して対称に設けられる。勿論、前記位置決めボスの数もこれに限定されていない。
【００２６】
前記第２のレンズ２２は、結像領域としての第２の本体部２２１と、前記第２の本体部２２１から外側へ延伸する第２の周辺部２２２と、前記第２の周辺部２２２における前記第１のレンズ２１に近い側より前記第１のレンズ２１から離れる方向へ凹む第１の位置決め溝２２３とを備え、前記第１の位置決め溝２２３には、前記第１の位置決めボス２１３が嵌合して係止される。そのため、前記第１の位置決め溝２２３の数は、前記第１の位置決めボス２１３の数と一致してもよく、前記第１の位置決めボス２１３の数より多くてもよく、前記第１の位置決め溝２２３は、一体的な環状溝型の構成とされてもよい。本実施形態において、前記第１の位置決め溝２２３は、一体的な環状溝型構成とされており、前記第１の位置決めボス２１３は、複数が設けられて、且つ、互いに間隔を空けて設けられており、取り付け時に、実際の需要に応じて、レンズの取り付け角度を回転させることができる。任意の取り付け角度でも、前記第１の位置決めボス２１３は、前記第１の位置決め溝２２３に嵌合されることができる。
【００２７】
前記第１のレンズ２１と前記第２のレンズ２２との位置決め効果をよりよく実現するために、本実施形態において、より好ましくは、前記第１の位置決めボス２１３は、光軸方向に垂直な断面において扇形構成であり、具体的には、環状溝型構成の前記第１の位置決め溝２２３に嵌合するように、前記第１の位置決めボス２１３における前記第１の周辺部２１２の径方向に沿う対向する内側と外側とのは、同心円のセグメントである。
【００２８】
上記の構成により、前記第１のレンズ２１と前記第２のレンズ２２は前記第１の位置決めボス２１３と前記第１の位置決め溝２２３とにより位置決められ、嵌合と組立てをより正確に実現し、位置決め及び組立てが容易になる。
【００２９】
図３〜４を参照し、より好ましくは、前記第１の位置決めボス２１３は、扇形構成の頂面２１３１と、前記頂面２１３１に対向して設けられる扇形構成の底面２１３２と、前記頂面２１３１と前記底面２１３２を接続する側壁２１３３とを備える。前記頂面２１３１は、対応する前記周辺部４と固定接続されており、前記底面２１３２は、前記第１の位置決め溝２２３に当接するために用いられる。本実施形態において、前記第１の位置決めボス２１３が前記第１のレンズ２１に設けられているため、対応する前記周辺部４は第１の周辺部２１２である。
【００３０】
前記側壁２１３３の内側面２１３３ａは、前記頂面２１３１に直交しており、前記側壁２１３３の外側面２１３３ｂは前記頂面２１３１とは、夾角θを成し、前記夾角θの範囲は０〜９０°であり、具体的には、０°、３０°、４５°又は６０°などされてもよく、いずれも実施可能である。前記内側面２１３３ａと前記外側面２１３３ｂは、前記第１の周辺部２１２の径方向に沿う同心円のセグメントであり、即ち、同心円の一部であることで、前記第１の位置決めボス２１３は扇形構成になっている。
【００３１】
勿論、上記構成は、交換してもよく、図５〜６を参照し、即ち、前記側壁２１３３の外側面２１３３ｂは、前記頂面２１３１に直交しており、前記側壁２１３３の内側面２１３３ａと前記頂面２１３１は、夾角θをなし、前記夾角θの範囲は０〜９０°である。具体的には、前記夾角θは、０°、３０°、４５°又は６０°などされてもよく、いずれも実施可能である。
【００３２】
上記夾角θ構成の設置により、前記第１のレンズ２１と前記第２のレンズ２２との間の嵌合程度を制御することができ、必要に応じて、夾角θを調整し、全体円周の接合を必要とせずに、高精度の位置決め及び嵌合組立てを実現できる。
【００３３】
更に、前記位置決めボス５と前記位置決め溝６との位置を交換してもよく、即ち、前記位置決めボス５が前記第２のレンズ２２における第１のレンズ２１に近い側に設けられ、前記位置決め溝６が前記第１のレンズ２１における前記第２のレンズ２２に近い側に設けられてもよい。
【００３４】
従来技術に比べれば、本発明のレンズモジュールは、隣接する２つの前記レンズの隣接する両面には、それぞれ、前記位置決めボスと前記位置決めボスに互いに嵌合される位置決め溝が設けられており、前記位置決めボスを前記位置決め溝内に嵌合して係止することで、隣接する２つの前記レンズの位置決めと組み立てを実現して、前記レンズの全体円周の接合により位置決めする必要がなく、前記レンズの位置決め精度が高く、組立ての安定性に優れ、前記位置決めボスと前記位置決め溝との嵌合角度を設置することにより、組立てを容易にする。
【００３５】
以上は、本発明の実施例に過ぎず、本発明の特許範囲を限定するものではなく、本発明の明細書及び図面内容に基づいて得られる等価構成又は等価フローの変形、又は他の関連する技術分野への直接又は間接適用は、同様に全て本発明の特許保護範囲内に含まれている。
【図１】
2018072799.tif 000003
【図２】
2018072799.tif 000004
【図３】
2018072799.tif 000005
【図４】
2018072799.tif 000006
【図５】
2018072799.tif 000007
【図６】
2018072799.tif 000008